(57)【要約】【課題】コンセントから抜いたプラグが不適切な場所に意図せず移動してしまうことを防ぐことができるプラグ保持器を提供する。【解決手段】本考案のプラグ保持器１は、コンセントの差込口に挿入してこのコンセントに取り付けるための差込部３と、コンセントから抜いた状態でのプラグ１０を保持する本体把持部２とを備える。【選択図】図１
0003174779.tif 000002
【実用新案登録請求の範囲】
【請求項１】
コンセントの差込口に挿入して該コンセントに取り付けるための取り付け部と、
前記コンセントから抜いた状態でのプラグを保持する保持部と、を備えたプラグ保持器。
【請求項２】
前記保持部と接合された、前記コンセントの差込口を覆うキャップ部を備え、
前記取り付け部は、前記差込口の個数および配置位置に対応するように前記キャップ部に複数形成された、該差込口の形状に応じた断面形状を有する棒状の薄板である請求項１に記載のプラグ保持器。
【請求項３】
前記キャップ部が前記保持部と回動自在に接合されている請求項２に記載のプラグ保持器。
【請求項４】
前記保持部は、内周に前記プラグを挿入し把持する、弾性体により形成された環状部材であり、該環状部材の一部に切り込み部が形成されている請求項１から３のいずれか１項に記載のプラグ保持器。
【請求項５】
前記保持部は、前記プラグの外周寸法に応じて調節可能なベルトである請求項１から３のいずれか１項に記載のプラグ保持器。
【考案の詳細な説明】
【技術分野】
【０００１】
本考案は、コンセントから抜いたプラグを保持するプラグ保持器に関する。
【背景技術】
【０００２】
従来、使用していないコンセントの差込口にごみや埃がたまって漏電または発火するトラッキング現象の防止や、乳幼児、幼児等の差込口への指つめ防止などを目的として、コンセントの差込口を塞ぐ、いわゆるコンセントキャップ（例えば、特許文献１）が利用されている。また、同様な目的で、家庭用の電気接続用タップの、未使用の差込タップ穴に差し込むキャップも提案されている（例えば、特許文献２）。
【０００３】
また、コンセントにプラグを差し込んだ状態でコンセントとプラグとを一緒に覆ってカバーする、いわゆるコンセントカバーも利用されている。このコンセントカバーではコンセントに差し込んだプラグを幼児等によって引き抜かれることを防止することができる。
【先行技術文献】
【特許文献】
【０００４】
【特許文献１】特開平６−１１１８７５号公報
【特許文献２】実開平７−３０４７２号公報
【考案の概要】
【考案が解決しようとする課題】
【０００５】
ところで、近年では節電対策として電気機器の不使用時には、該電気機器に電気を供給するために利用するプラグをコンセントの差込口から抜くことが奨励されている。しかし、抜いたプラグは、次回の使用を見越して利用するコンセントの近傍に放置される場合が多く、放置されたままのプラグは意図しない場所、すなわち不適切な場所に移動してしまうことがある。特に、洗濯機など狭い空間に設置された機器では、プラグをコンセントから抜くとコンセントの配置によってはプラグが機器の背面等の手が届き難い場所に落ちてしまうことがある。
【０００６】
本考案は、以上の問題を鑑みてなされたものであり、コンセントから抜いたプラグが不適切な場所に意図せず移動することを防ぐことができるプラグ保持器を提供することを目的とする。
【課題を解決するための手段】
【０００７】
本考案に係るプラグ保持器は、上記した課題を解決するために、コンセントの差込口に挿入して該コンセントに取り付けるための取り付け部と、前記コンセントから抜いた状態でのプラグを保持する保持部とを備えている。
【０００８】
上記した構成によると、前記取り付け部と前記保持部とを備えるため、コンセントの差込口から抜いたプラグを該コンセントの近傍に保持しておくことができる。
【０００９】
したがって、本考案に係るプラグ保持器は、コンセントから抜いたプラグが不適切な場所に意図せず移動してしまうことを防ぐことができるという効果を奏する。
【００１０】
また、上述したようにコンセントから抜いたプラグが不適切な場所に移動することを防ぐことができるため、プラグの不適切な場所への移動を気にしてコンセントから抜かないような事態が生じることを防ぐことができる。これによって、待機消費電力の低下を実現でき、結果として節電を実現することができる。
【００１１】
本考案に係るプラグ保持器は、上記した構成において、前記保持部と接合された、前記コンセントの差込口を覆うキャップ部を備え、前記取り付け部は、前記差込口の個数および配置位置に対応するように前記キャップ部に複数形成された、該差込口の形状に応じた断面形状となる棒状の薄板であってもよい。
【００１２】
上記した構成によると、キャップ部を備え、取り付け部として、差込口の形状に応じた断面形状となる棒状の薄板が、このキャップ部に差込口の個数および配置位置に対応するように複数形成されている。このため、この取り付け部を差込口に差し込んでコンセントの差込口の前に当該プラグ保持器を取り付けることができる。また、この取り付け部は前記キャップ部を備えるため、プラグ保持器のコンセントへの取り付け状態において、差込口を覆うことができる。
【００１３】
したがって、使用していないコンセントの差込口にごみや埃がたまって漏電または発火するトラッキング現象や、乳幼児、幼児等の差込口への指つめなどを防止することができる。
【００１４】
本考案に係るプラグ保持器は、上記した構成において前記キャップ部が前記保持部と回動自在に接合されていてもよい。
【００１５】
上記した構成によると、キャップ部が保持部に対して回動自在に接合されているため、コンセントの差込口の配置方向に影響されることなくプラグを一定の方向に向けて保持することができる。また逆にプラグを所望される方向に向けて保持することもできる。
【００１６】
本考案に係るプラグ保持器は、上記した構成において、前記保持部は、内周に前記プラグを挿入し把持する、弾性体により形成された環状部材であり、該環状部材の一部に切り込み部が形成されていてもよい。
【００１７】
ここで弾性体とは、例えば、シリコン等の絶縁性の弾性体が挙げられる。
【００１８】
上記した構成によると保持部が、弾性体により形成された環状部材であるため、その内周において該プラグと当接して保持（把持）することができる。また、切れ込み部が形成されているため、当該プラグ保持器により保持するプラグの外周寸法に応じて切れ込み部による切れ目の間隔を変更させることができ、保持部により把持可能な寸法を調整することができる。
【００１９】
また、本考案に係るプラグ保持器は、上記した構成において、前記保持部は、前記プラグの外周寸法に応じて調節可能なベルトであってもよい。
【００２０】
上記した構成によると保持部が、前記ベルトであるため、プラグの外周寸法に合わせて調整し、該プラグをしっかりと把持（保持）することができる。また、保持部は、プラグの外周寸法に合わせて調整可能なため、様々な外周寸法のプラグに適用できる。
【考案の効果】
【００２１】
本考案は、以上に説明した構成を有し、本考案に係るプラグ保持器は、コンセントから抜いたプラグが不適切な場所に意図せず移動してしまうことを防ぐことができるという効果を奏する。
【図面の簡単な説明】
【００２２】
【図１】本考案の実施形態に係るプラグ保持器の構成の一例を示す側面図である。
【図２】図１に示すプラグ保持器の構成の一例を示す正面図である。
【図３】図１に示すプラグ保持器の構成の一例を示す斜視図である。
【図４】プラグの未使用時における本考案の実施形態に係るプラグ保持器の使用態様の一例を示す図である。
【考案を実施するための形態】
【００２３】
以下、本考案の実施の形態を、具体的に、図面を参照しながら説明する。なお、全ての図面において、同一又は相当部分には同一符号を付し、重複する説明は省略する。また、全ての図面において、本考案を説明するために必要となる構成要素のみを抜粋して図示しており、その他の構成要素については図示を省略している。
【００２４】
（プラグ保持器の構成）
図１〜４を参照して、以下に本考案の実施形態に係るプラグ保持器１の構成について説明する。なお、図１、２、４に示すように、本実施形態ではプラグ１０の形状およびコンセント５０の差込口５１の形状として、わが国において一般的な家庭で利用されている形状を例に挙げて説明するものとする。
【００２５】
図１は、本考案の実施形態に係るプラグ保持器１の構成の一例を示す側面図である。図２は、図１に示すプラグ保持器１の構成の一例を示す正面図である。図３は、図１に示すプラグ保持器１の構成の一例を示す斜視図である。図４は、プラグ１０の未使用時における本考案の実施形態に係るプラグ保持器１の使用態様の一例を示す図である。
【００２６】
まず、プラグ保持器１により保持されるプラグ１０の構成について説明する。プラグ１０は、図１および図２に示すように、コンセント５０の差込口５１に抜き差しする導体の２本のピン１２と、絶縁物で導線が覆われた、電気機器と接続されたコード１３と、ピン１２とコード１３との接続部として機能するプラグ本体部１１とを備えてなる構成である。このプラグ１０は公知のプラグであるため、詳細な説明は省略する。
【００２７】
次に、プラグ保持器１の構成について説明する。
【００２８】
本実施の形態に係るプラグ保持器１は、プラグ１０の未使用時において、該プラグ１０を所定位置で保持するとともに、コンセント５０の差込口５１をカバーするものである。なお、プラグ１０の未使用時とは、プラグ１０がコンセント５０の差込口５１から引き抜かれた状態時を意味するものとする。
【００２９】
図１〜３に示すように、プラグ保持器１は、本体把持部（保持部）２、差込部（取り付け部）３、キャップ部４、およびタグ５を備えてなる構成である。
【００３０】
本体把持部２は、プラグ１０の未使用時において、このプラグ１０のプラグ本体部１１を包み込んで保持するものである。本体把持部２は、例えばシリコンなどの絶縁性を有する弾性体により形成された環状部材である。そして、本体把持部２の内周にプラグ１０が挿入され、該プラグ１０が本体把持部２を貫通した状態で把持されるように構成されている。
【００３１】
より具体的には、本体把持部２の内周の寸法を、プラグ本体部１１の外周寸法と略同じまたは小さめのサイズとなるように形成するとともに、図３に示すように本体把持部２の一部に切り込み部２２を形成する。そして、本体把持部２の内周にプラグ本体部１１を貫通させると、このプラグ本体部１１の外周寸法に応じて切り込み部２２の切れ目の間隔が広がって、把持できるサイズを調整することができる。
【００３２】
このように、本体把持部２は、弾性体で形成され、かつ内径がプラグ本体部１１の外周寸法と略同じか小さめのサイズとなっているため、本体把持部２にプラグ本体部１１を貫通させた際、該プラグ本体部１１の外周を押圧した状態で本体把持部２とプラグ本体部１１とが当接することができる。これにより、本体把持部２は、その内周からプラグ本体部１１が抜け落ちないように保持することができる。さらにまた、切り込み部２２が形成されているため、本体把持部２により把持するプラグ本体部１１の外周寸法に応じて、把持できるサイズを調整することができる。
【００３３】
また、本体把持部２は、切り込み部２２の切れ目の間隔を調整することで把持できるサイズを調整することができるため、プラグ本体部１１の外周寸法が異なる別のプラグでも対応できるようになっている。
【００３４】
なお、本体把持部２の内周形状は一方の端部の開口寸法よりも、他方の端部の開口寸法の方が広くなるように形成されていてもよい。このように形成されている場合、プラグ本体部１１の本体把持部２への挿入時において、寸法が大きい開口側からプラグ本体部１１を挿入することができ、プラグ本体部１１を容易に本体把持部２に貫通させることができる。
【００３５】
差込部３は、コンセント５０の差込口５１に差し込んで、このコンセント５０の前方位置にプラグ保持器１を固定させるためのものである。差込部３は、プラグ１０の本体把持部２への挿入方向に対して略垂直となる方向に延伸した細長い薄板であり、その断面は、差込口５１の形状に対応した形状となっている。この差込部３は、例えば、ポリプロピレンなどの絶縁性を有する材質から形成される。
【００３６】
キャップ部４は、コンセント５０の差込口５１を覆って、該差込口５１内にごみや埃が溜まらないようにこれらの侵入を防いだり、乳幼児または幼児の指が差込口５１に入り込むのを防いだりするものである。キャップ部４は、蓋部４１とキャップ本体部４２とを備える。
【００３７】
キャップ部４が備える蓋部４１は、差込部３を差込口５１に差し込んで、プラグ保持器１をコンセント５０の前方位置に固定させた際、差込口５１および差込口５１の外周を覆うためのものであり、薄く平たい円盤形状をしている。そして、差込部３の一方の端部がこの蓋部４１に対して略直角となるように接合されている。
【００３８】
また、蓋部４１の寸法は、差込部３を差込口５１に差し込んで、プラグ保持器１をコンセント５０の前方位置に固定させた際、差込口５１および差込口５１の外周を覆うことができる寸法となるように適切に設定されている。蓋部４１は、差込部３と同様に、例えば、ポリプロピレンなどの絶縁性を有する材質から形成される。
【００３９】
キャップ部４が備えるキャップ本体部４２は、蓋部４１と本体把持部２との間に配置され、これらを連結するためのものである。本実施の形態に係るキャップ部４では、キャップ本体部４２は、蓋部４１の平面形状に応じた断面形状を有した略円筒でありキャップ本体部４２の一方の端部に蓋部４１が固着されている。また、キャップ本体部４２は、蓋部４１が固着されている端部とは反対側の端部では、本体把持部２と回動自在に接合されている。
【００４０】
すなわち、図１に示すように本体把持部２において、キャップ部４と接する面に回転軸２１が設けられている。一方、キャップ部４ではキャップ本体部４２の本体把持部２と接する側の面において、回転軸２１を支持し、回転軸２１の回転運動を保持する軸受け部(不図示)が設けられている。これによりキャップ部４は、本体把持部２に対して回動自在に接合される。このキャップ本体部４２は、例えば、絶縁性と弾性を有するシリコンなどの材質から形成される。
【００４１】
タグ５は、図３に示すように、プラグ保持器１で保持しているプラグを利用する電気機器名を記入するためのタグである。このタグ５により、プラグ保持器１で保持しているプラグがどの電気機器を動作させる際に利用されるのか、容易に把握することができる。
【００４２】
本体把持部２とキャップ本体部４２との接合部分には隙間が形成されており、該隙間に挟みこんでタグ５が取り付けられている。タグ５も、キャップ部４と同じ回転方向に回転できるように取り付けられている。
【００４３】
以上のように、本実施形態に係るプラグ保持器１は、差込部３を備えるため、プラグ１０の未使用時において、このプラグ１０の代わりに当該プラグ保持器１をコンセント５０の差込口５１に差し込んで固定することができる。換言すると、プラグ１０にフラグ保持器１を装着させたまま、該プラグ１０をコンセント５０の差込口５１に抜き差しすることができる。
【００４４】
また、キャップ部４を備えるため、プラグ保持器１をコンセント５０に固定した際、このキャップ部４の蓋部４１によりコンセント５０の差込口５１およびその周辺を覆うことができる。これにより、トラッキング現象を防止したり、プラグ差込口への乳幼児の指つめを防止したりすることができる。
【００４５】
また、本体把持部２を備えるため、プラグ１０の未使用時において、このプラグ１０をコンセント５０の差込口５１の前方位置に保持しておくことができる。このため、プラグ１０をはずした際に、該プラグ１０が行方不明になったり、該プラグ１０が手の届かないような場所に移動してしまったりするような事態を防止することができる。
【００４６】
また、このように、コンセント５０の差込口５１から抜いたプラグ１０を適切に保持しておくことができる。このため、抜いた後のプラグ１０が手の届かない位置に移動したりするなどプラグを抜くことを阻害する要因を低減させることができ、結果として待機消費電力の抑制につながる。
【００４７】
また、本体把持部２とキャップ部４とが回動自在に接続されている。このため、コンセント５０の差込口５１の開口の配置が異なる場合（開口が水平方向に配置される場合と垂直方向に配置される場合など）であっても、保持するプラグ１０の方向を同じとすることができる。さらにまた、コンセント５０が設けられている場所に応じて、プラグ１０のピン１２を水平方向に向けて配置したり、垂直方向に向けて配置したりすることもできる。
【００４８】
また、プラグ保持器１は、タグ５を備えるため、このプラグ保持器１により保持しているプラグ１０がどの電気機器の動作時に利用されるものか容易に把握することができる。
【００４９】
なお、本実施形態に係るプラグ保持器１の本体把持部２は、上述したように、シリコンなどの弾性体を環状に形成し、その一部に切り込み部２２が設けられた構成であったが、これに限定されるものではない。例えば、締め付け長さを調整できる帯状のバンドであるいわゆるベルトで形成されていてもよい。このように、本体把持部２をベルトとして形成する場合、幅広く様々な形状および寸法のプラグ１０の保持に対応させることができる。
【００５０】
また、上記では、プラグ１０およびコンセント５０の差込口５１の形状として、わが国の一般的な家庭で利用されている形状を例に挙げて説明したが、プラグ１０およびコンセント５０の差込口５１の形状はこれに限定されるものではない。すなわち、コンセントの差込口５１の形状、個数、配置位置は使用される目的や、使用する国によって様々であり、差込口５１の形状、個数および配置位置に応じてプラグ保持器１の差込部３の形状および個数、配置位置は適宜変更される。
【００５１】
また、本実施形態に係るプラグ保持器１では、本体把持部２とキャップ部４とが回動自在に接続された構成であったが、両者が固定された状態で接続された構成であってもよい。このように固定された状態で接続された構成の場合、プラグ保持器１の構成がより簡易となり容易に製造することができる点で有利である。しかしながら、本体把持部２とキャップ部４とが回動自在に接続された構成の方が、保持されているプラグ１０の向きを自由に変更できる点で好適である。
【００５２】
また、本実施形態に係るプラグ保持器１は、タグ５を備え、このプラグ保持器１により保持しているプラグ１０がどの電気機器の動作時に利用されるものか把握できるように、タグに電気機器名を記入する構成であった。しかしながら、必ずしもタグ５を備える必要がない。例えば、タグ５を備えず、プラグ保持器１の本体部に電気機器名を直接記入することができるように構成されていてもよい。
【００５３】
上記説明から、当業者にとっては、本考案の多くの改良や他の実施形態がなされ得ることは明らかである。つまり、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００５４】
本考案のプラグ保持器１は、コンセント５０から抜いたプラグ１０をコンセント５０の前方位置にて容易に保持しておくことができる。このため、特に、コンセント５０から抜いた、常時稼動させておく必要がない電気製品のプラグ１０の整理に有効である。
【符号の説明】
【００５５】
１    プラグ保持器
２    本体把持部
３    差込部
４    キャップ部
５    タグ
１０  プラグ
１１  プラグ本体部
１２  ピン
１３  コード
２１  回転軸
２２  切り込み部
４１  蓋部
４２  キャップ本体部
５０  コンセント
５１  差込口
【図１】
0003174779.tif 000003
【図２】
0003174779.tif 000004
【図３】
0003174779.tif 000005
【図４】
0003174779.tif 000006